(57)【要約】【課題】導線が接続されたコネクタにオペレータの手が接近したとしても、該オペレータの手を起因とする静電気が導線および筐体内に流れることが抑制された電子機器を提供すること。【解決手段】電子機器１０は、回路基板１４を収容した導電性の筐体１６と、複数の導線１８が挿入される複数の接続口２０が形成された接続面１２ａを有しており複数の導線１８と回路基板１４とを接続するために筐体１６の表面に設けられたコネクタ１２と、接続面１２ａのうちの接続口２０以外の部分の少なくとも一部を覆って設けられており筐体１６と接続された導電性の導電部材３０と、を備える。【選択図】図１
2020013743.tif 000002
【特許請求の範囲】
【請求項１】
回路基板と、
前記回路基板を収容する導電性の筐体と、
複数の導線が挿入される複数の接続口が形成された接続面を有し、前記複数の導線と前記回路基板とを接続するために前記筐体の表面に設けられたコネクタと、
前記接続面のうちの前記接続口以外の部分の少なくとも一部を覆って設けられており、前記筐体と接続された導電性の導電部材と、
を備える、電子機器。
【請求項２】
請求項１に記載の電子機器であって、
前記導電部材は、
前記コネクタの外周部分の少なくとも一部を覆った板金と、
前記板金から前記接続口の方向に向かって突出した突出部と、
を有する、電子機器。
【請求項３】
請求項２に記載の電子機器であって、
複数の前記接続口は、前記接続面において予め決められた方向に沿って形成されており、
前記板金は、前記予め決められた方向に沿って延びており、
前記突出部は、前記予め決められた方向と交差する方向に向かって突出している、電子機器。
【請求項４】
請求項２または３に記載の電子機器であって、
前記導電部材は、前記突出部を複数有する、電子機器。
【請求項５】
請求項４に記載の電子機器であって、
複数の前記突出部のうちの少なくとも１つは、お互いに隣り合った２つの前記接続口の間に位置している、電子機器。
【請求項６】
請求項１〜５のいずれか１項に記載の電子機器であって、
前記コネクタは、
複数のネジと、
複数の前記ネジの締め付けによって複数の前記接続口に挿入された前記導線を固定するクランプ機構と、
前記接続面とは異なる面であって、オペレータが複数の前記ネジの各々の回転を操作して前記導線の締め付けを調整するための複数の操作穴が形成された操作面と、
を有し、
前記導電部材は、前記操作面を覆うとともに、複数の前記操作穴を露出するための複数の孔が形成されている、電子機器。
【発明の詳細な説明】
【技術分野】
【０００１】
本発明は、電子機器に関する。
【背景技術】
【０００２】
電子機器には、筐体の表面のコネクタを介して導線（導電性の線材）と筐体内の回路基板とを電気的に接続することができるタイプが存在する。
【先行技術文献】
【特許文献】
【０００３】
【特許文献１】実開昭５９−０２５１６６号公報
【発明の概要】
【発明が解決しようとする課題】
【０００４】
上記の電子機器においては、例えば、導線が接続されたコネクタにオペレータの手が接近したとき、オペレータが帯びた静電気が導線に流れてしまうことがある。導線に静電気が流れると、コネクタを介して導線と接続された筐体内の回路基板が損傷してしまうおそれがある。
【０００５】
そこで、本発明は、導線が接続されたコネクタにオペレータが接近したとしても、該オペレータを起因とする静電気が導線および筐体内に流れることが抑制された電子機器を提供することを目的とする。
【課題を解決するための手段】
【０００６】
本発明の態様は、電子機器であって、回路基板と、前記回路基板を収容する導電性の筐体と、複数の導線が挿入される複数の接続口が形成された接続面を有し、前記複数の導線と前記回路基板とを接続するために前記筐体の表面に設けられたコネクタと、前記接続面のうちの前記接続口以外の部分の少なくとも一部を覆って設けられており、前記筐体と接続された導電性の導電部材と、を備える。
【発明の効果】
【０００７】
本発明によれば、帯電したオペレータがコネクタに接近したとしても、オペレータが帯びた静電気は、導線ではなく導電部材の方に流れる。これにより、導線が接続されたコネクタにオペレータが接近したとしても、該オペレータを起因とする静電気が導線および筐体内に流れることを抑制することができる。
【図面の簡単な説明】
【０００８】
【図１】第１の実施の形態に係る電子機器の構成を示す斜視図である。
【図２】第１の実施の形態に係るコネクタを接続面側から見たときの状態を示す平面図である。
【図３】第１の実施の形態に係るコネクタを、導電部材を省略して操作面側から見たときの状態を示す斜視図である。
【図４】第１の実施の形態に係るコネクタを操作面側から見たときの状態を示す斜視図である。
【図５】変形例１に係るコネクタを接続面側から見たときの状態を示す平面図である。
【図６】変形例２に係るコネクタを接続面側から見たときの状態を示す平面図である。
【発明を実施するための形態】
【０００９】
本発明に係る電子機器について、好適な実施の形態を挙げ、添付の図面を参照しながら以下、詳細に説明する。
【００１０】
［第１の実施の形態］
図１は、第１の実施の形態に係る電子機器１０の構成を示す斜視図である。また、図２は、第１の実施の形態に係るコネクタ１２を接続面１２ａ側から見たときの状態を示す平面図である。
【００１１】
電子機器１０は、回路基板１４と、回路基板１４を収容する導電性の筐体１６とを備える。また、電子機器１０は、前記筐体１６の表面に設けられたコネクタ１２を備える。
【００１２】
コネクタ１２は、複数の導線１８が挿入される複数の接続口２０が形成された接続面１２ａを有し、複数の導線１８と回路基板１４とを接続する。また、図２のように、複数の接続口２０は、予め決められた方向Ｄ１に沿って並ぶように形成されている。なお、図１、２の例では導線１８および接続口２０の数をそれぞれ５つとしたが、その数は５つでなくてもよい。
【００１３】
本実施の形態において、筐体１６に収容された回路基板１４とは、所定の導体パターンおよび電子部品が備わったプリント基板である。また、本実施の形態において、筐体１６は接地している。
【００１４】
さらに、本実施の形態において、複数の導線１８の各々は、シールド部材２２ａによってひとまとめに被覆されて、一本のケーブル２２を構成している。ただし、接続口２０の近傍に位置するシールド部材２２ａは、導線１８とコネクタ１２との接続を阻害しないように、予め除去されている。
【００１５】
図３は、第１の実施の形態に係るコネクタ１２を、導電部材３０を省略して操作面１２ｂ側から見たときの状態を示す斜視図である。
【００１６】
ここで、コネクタ１２と導線１８とを接続する仕組みについて、簡単に説明する。本実施の形態では、コネクタ１２は圧着式のコネクタである。すなわち、コネクタ１２は、複数のネジ２４と、複数のネジ２４の締め付けによって複数の接続口２０に挿入された導線１８を固定する不図示のクランプ機構とを備える。また、コネクタ１２は、接続面１２ａとは異なる面であって、オペレータが複数のネジ２４の各々の回転を操作して導線１８の締め付けを調整するための複数の操作穴２６が形成された操作面１２ｂを備える。なお、複数のネジ２４および複数の操作穴２６の各々は、複数の接続口２０の各々に対応して設けられており、接続口２０の数と同様に、５つに限定されない。また、コネクタ１２を圧着式としたのはあくまでも一例であり、本実施の形態が適用されるコネクタは圧着式に限定されない。
【００１７】
上記の構成を備えたコネクタ１２と導線１８とを接続するときは、複数の導線１８の各々を複数の接続口２０の各々に挿入し、操作穴２６を介してオペレータがネジ２４を締める。これにより、導線１８が接続口２０内に固定され、コネクタ１２と導線１８とが接続されたことになる。
【００１８】
上記のようにして導線１８とコネクタ１２とが接続されている状態においては、導線１８は、接続口２０の近傍ではシールド部材２２ａによって保護されていない。そのような状態において、静電気を帯電したオペレータの手（導電体）２８がコネクタ１２に接近すると、オペレータの手２８から導線１８に静電気が流れるおそれがある。この静電気が導線１８、コネクタ１２を介して筐体１６内の回路基板１４に伝わると、回路基板１４を損傷させるといった問題を引き起こすことがある。そこで、本実施の形態では、上記の静電気が導線１８および筐体１６内に流れることを抑制するため、図１、および図２のように、導電性の導電部材３０を設けている。
【００１９】
図１、および図２に示されたように、導電部材３０は、コネクタ１２の外周部分の少なくとも一部を覆うように予め決められた方向Ｄ１に沿って延びた板金３６を有する。また、導電部材３０は、板金３６から接続口２０の方向（予め決められた方向Ｄ１と交差する方向）Ｄ２に向かって突出した複数の突出部３８とを有する。また、複数の突出部３８のうち少なくとも１つは、お互いに隣り合った２つの接続口２０の間に位置している。このとき、図２のように、方向Ｄ１と方向Ｄ２とが直交していることが好ましい。また、図２のように、全ての隣り合った接続口２０の間に突出部３８が位置することが好ましい。
【００２０】
図４は、第１の実施の形態に係るコネクタ１２を操作面１２ｂ側から見たときの状態を示す斜視図である。
【００２１】
図４に示されたように、導電部材３０は、接続面１２ａの一部のみならず、コネクタ１２の操作面１２ｂも覆っている。このとき、図４のように、複数の操作穴２６を露出するための複数の孔３４を導電部材３０の操作面１２ｂ側の部位に形成することで、ネジ２４の締め付け作業が導電部材３０に阻害されることを防止している。
【００２２】
上記の導電部材３０は、接続面１２ａのうちの接続口２０以外の部分の少なくとも一部を覆って設けられており、筐体１６と接続されている。これにより、接地した筐体１６に接続された導電部材３０もまた、接地する。また、導電部材３０は、本実施の形態では留め具３２によって筐体１６に固定されている。なお、導電部材３０は、筐体１６と電気的に接続されるのであれば、固定される場所は筐体１６ではなくてもよい。例えば、導電部材３０は、その一部を筐体１６に接触させた状態でコネクタ１２に固定されてもよい。
【００２３】
本実施の形態では、静電気を帯電したオペレータの手２８がコネクタ１２に接近したとき、コネクタ１２を覆った導電部材３０とオペレータの手２８とが接触し易い。このとき、オペレータの手２８が帯びていた静電気は、導線１８ではなく導電部材３０に流れる。
【００２４】
しかも、本実施の形態では、複数の突出部３８を導電部材３０が有することにより、オペレータの手２８が帯びた静電気が導電部材３０により流れ易くされている。すなわち、静電気は、平坦な部位よりも突出した部位に流れ易いという性質を有するため、突出部３８があることで、オペレータの手２８が帯びた静電気が導線１８ではなく導電部材３０の方に流れ易くなる。なお、突出部３８の数は特に限定されないが、突出部３８を複数設けることで、突出部３８の数が１つの場合よりもオペレータの手２８が導電部材３０に接近し易くなる。
【００２５】
近接する２つの導電性の物体同士の間では、空気を介しても静電気が流れることがある。それはとくに、近接した２つの物体のうちの少なくとも一方が突出した部位を有する場合に発生し易い。本実施の形態では、導電部材３０が突出部３８を有するため、オペレータの手２８が導電部材３０に直接触れない場合であっても、オペレータの手２８が帯びた静電気が導電部材３０に流れ易い。
【００２６】
本実施の形態では、突出部３８が接続口２０の方向（予め決められた方向Ｄ１と交差する方向）Ｄ２に向かって突出している。したがって、本実施の形態では、オペレータの手２８がコネクタ１２に、とくにコネクタ１２の接続口２０（導線１８）に接近したとき、突出部３８の先端にオペレータの手２８が接近する。これにより、オペレータの手２８が帯びた静電気が導電部材３０に流れ易くなる。
【００２７】
本実施の形態では、お互いに隣り合った２つの接続口２０の間に位置する突出部３８を導電部材３０が少なくとも１つ有する。したがって、本実施の形態では、隣り合った２つの接続口２０のうちのいずれかに接近したとき、その２つの接続口２０の間に位置する突出部３８の先端にオペレータの手２８が接近する。これにより、オペレータの手２８が帯びた静電気が導電部材３０に流れ易くなる。
【００２８】
以上のように、本実施の形態によれば、導線１８が接続されたコネクタ１２にオペレータの手２８が接近したとしても、該オペレータの手２８を起因とする静電気が導線１８および筐体１６内に流れることを抑制することができる。
【００２９】
［変形例］
以上、本発明の一例として第１の実施の形態が説明されたが、上記第１の実施の形態に、多様な変更または改良を加えることが可能であることはもちろんである。その様な変更または改良を加えた形態も本発明の技術的範囲に含まれ得ることが、特許請求の範囲の記載から明らかである。
【００３０】
（変形例１）
図５は、変形例１に係るコネクタ１２を接続面１２ａ側から見たときの状態を示す平面図である。
【００３１】
図５のように、導電部材３０の突出部３８は、省略されてもよい。これにより、突出部３８を省略するぶんだけ、構成をシンプルにすることができる。突出部３８を省略した場合であっても、オペレータの手２８がコネクタ１２に接近したとき、オペレータの手２８が帯びた静電気を導線１８ではなく導電部材３０の方に流すことはできる。したがって、オペレータの手２８がコネクタ１２に接近したとしても、オペレータの手２８を起因とする静電気が導線１８および筐体１６内に流れることを抑制することができる。
【００３２】
（変形例２）
図６は、変形例２に係るコネクタ１２を接続面１２ａ側から見たときの状態を示す平面図である。
【００３３】
図６のように、突出部３８の先端が接続口２０を向くように突出部３８が突出してもよい。これにより、突出部３８の先端が向いた接続口２０にオペレータの手２８が接近したときに突出部３８の先端にオペレータの手２８が接近し易くなり、延いては、オペレータの手２８が帯びた静電気が導電部材３０に流れ易くなる。
【００３４】
図６の例では、導電部材３０を接続口２０の図中上側と下側との２箇所に設けている。このように、導電部材３０は、複数設けられてもよい。これにより、オペレータの手２８が導電部材３０により接近し易くなり、延いては、オペレータの手２８が帯びた静電気が導電部材３０に流れ易くなる。
【００３５】
（変形例３）
上記実施の形態および変形例は、矛盾の生じない範囲で任意に組み合わされてもよい。
【００３６】
［実施の形態から得られる技術的思想］
上記実施の形態および変形例から把握しうる技術的思想について、以下に記載する。
【００３７】
電子機器（１０）は、回路基板（１４）と、前記回路基板（１４）を収容する導電性の筐体（１６）と、複数の導線（１８）が挿入される複数の接続口（２０）が形成された接続面（１２ａ）を有し、前記複数の導線（１８）と前記回路基板（１４）とを接続するために前記筐体（１６）の表面に設けられたコネクタ（１２）と、前記接続面（１２ａ）のうちの前記接続口（２０）以外の部分の少なくとも一部を覆って設けられており、前記筐体（１６）と接続された導電性の導電部材（３０）と、を備える。
【００３８】
これにより、導線（１８）が接続されたコネクタ（１２）にオペレータの手（２８）が接近したとしても、該オペレータの手（２８）を起因とする静電気が導線（１８）および筐体（１６）内に流れることが抑制される。
【００３９】
前記導電部材（３０）は、前記コネクタ（１２）の外周部分の少なくとも一部を覆った板金（３６）と、前記板金（３６）から前記接続口（２０）の方向に向かって突出した突出部（３８）と、を有してもよい。これにより、例えば、オペレータの手（２８）が帯びた静電気が導線（１８）ではなく導電部材（３０）の方により流れ易くなる。また、オペレータの手（２８）が導電部材（３０）に直接触れなくとも、オペレータの手（２８）が帯びた静電気を導線（１８）ではなく導電部材（３０）に流すことができる。
【００４０】
複数の前記接続口（２０）は、前記接続面（１２ａ）において予め決められた方向Ｄ１に沿って形成されており、前記板金（３６）は、前記予め決められた方向Ｄ１に沿って延びており、前記突出部（３８）は、前記予め決められた方向Ｄ１と交差する方向Ｄ２に向かって突出していてもよい。これにより、例えば、複数の接続口（２０）の全てに対して、その近傍に導電部材（３０）を位置させることができる。
【００４１】
前記導電部材（３０）は、前記突出部（３８）を複数有してもよい。これにより、例えば、突出部（３８）の数が１つである場合と比較して、オペレータの手（２８）を起因とする静電気が導線（１８）および筐体（１６）内に流れることがよりいっそう抑制される。
【００４２】
複数の前記突出部（３８）のうちの少なくとも１つは、お互いに隣り合った２つの前記接続口（２０）の間に位置していてもよい。これにより、例えば、隣り合った２つの接続口（２０）のうちのいずれに近づいた場合であっても、オペレータの手（２８）が突出部（３８）に接近する。したがって、オペレータの手（２８）を起因とする静電気が導線（１８）および筐体（１６）内に流れることがよりいっそう抑制される。
【００４３】
前記コネクタ（１２）は、複数のネジ（２４）と、複数の前記ネジ（２４）の締め付けによって複数の前記接続口（２０）に挿入された前記導線（１８）を固定するクランプ機構と、前記接続面（１２ａ）とは異なる面であって、オペレータが複数の前記ネジ（２４）の回転を操作して前記導線（１８）の締め付けを調整するための複数の操作穴（２６）が形成された操作面（１２ｂ）と、を有し、前記導電部材（３０）は、前記操作面（１２ｂ）を覆うとともに、複数の前記操作穴（２６）を露出するための複数の孔（３４）が形成されていてもよい。これにより、例えば、操作面（１２ｂ）にも導電部材（３０）を設けつつ、且つ、ネジ（２４）の締め付け作業が導電部材（３０）に阻害されないようにできる。
【符号の説明】
【００４４】
１０…電子機器                  
１２…コネクタ（１２ａ…接続面、１２ｂ…操作面）
１４…回路基板                  １６…筐体
１８…導線                      ２０…接続口
２２…ケーブル（２２ａ…シールド部材）
２４…ネジ                      ２６…操作穴
２８…オペレータの手（導電体）  ３０…導電部材
３２…留め具                    ３４…孔
３６…板金                      ３８…突出部
【図１】
2020013743.tif 000003
【図２】
2020013743.tif 000004
【図３】
2020013743.tif 000005
【図４】
2020013743.tif 000006
【図５】
2020013743.tif 000007
【図６】
2020013743.tif 000008